(57)【要約】【課題】レンズ鏡筒におけるトラッキング調整及び傾き調整を容易に行えるようにする。【解決手段】基準光軸Ｌを画定する鏡筒１０、レンズを保持して鏡筒に連結固定されるレンズ保持枠２０を備えたレンズ鏡筒において、鏡筒１０はその内周面に形成された雌ネジ１５を有し、レンズ保持枠２０は鏡筒の雌ネジに螺合するべくその外周面に形成された雄ネジ２３を有し、雄ネジ２３と雌ネジ１５とは、各々のネジ山とネジ溝との間に所定隙間を有して螺合するように形成されている。これによれば、雄ネジ２３を雌ネジ１５に螺合して螺合量を調整することで基準光軸方向におけるレンズの位置調整（トラッキング調整）を行え、又、雄ネジ２３と雌ネジ１５の間の隙間によるガタツキを利用してレンズ保持枠２０を適宜傾けることで基準光軸に対するレンズの傾き調整を行える。【選択図】図３
2014071179.tif 000002
【特許請求の範囲】
【請求項１】
基準光軸を画定する鏡筒と、レンズを保持して前記鏡筒に連結固定されるレンズ保持枠と、を備えたレンズ鏡筒であって、
前記鏡筒は、その内周面に形成された雌ネジを有し、
前記レンズ保持枠は、前記鏡筒の雌ネジに螺合するべくその外周面に形成された雄ネジを有し、
前記雄ネジと前記雌ネジとは、各々のネジ山とネジ溝との間に所定隙間を有して螺合するように形成されている、
ことを特徴とするレンズ鏡筒。
【請求項２】
前記レンズ保持枠は、前記鏡筒に連結する際に用いる冶具を着脱自在に装着するための冶具装着部を有する、
ことを特徴とする請求項１に記載のレンズ鏡筒。
【請求項３】
前記レンズ保持枠及び前記鏡筒は、前記レンズ保持枠が前記鏡筒に連結された状態において、接着剤を注入し得る接着剤溜め部を画定するように形成されている、
ことを特徴とする請求項１又は２に記載のレンズ鏡筒。
【請求項４】
前記雄ネジは、前記レンズ保持枠の周方向において離隔して形成された複数の雄ネジからなり、
前記レンズ保持枠は、周方向において前記複数の雄ネジ同士の間に形成され前記接着剤溜め部の一部をなす凹部を有する、
ことを特徴とする請求項３に記載のレンズ鏡筒。
【発明の詳細な説明】
【技術分野】
【０００１】
本発明は、基準光軸を画定する鏡筒に対してレンズを保持したレンズ保持枠が取り付けられたレンズ鏡筒に関し、特に、レンズ保持枠に保持されたレンズの基準光軸方向における位置及び基準光軸に対する傾き等を調整可能なレンズ鏡筒に関する。
【背景技術】
【０００２】
従来のレンズ鏡筒としては、基準光軸を画定する鏡筒（１群筒）、レンズを保持すると共に鏡筒内に配置して固定されるレンズ保持枠（１群レンズ室）、レンズ保持枠と鏡筒の間に介在する中間筒を備え、レンズ保持枠の外周に雄ネジを設け、中間筒の内周にレンズ保持枠の雄ネジと螺合する雌ネジを設け、中間筒を鏡筒に対して回転可能にかつ調整後に固定可能に保持するように形成し、中間筒を鏡筒に対して仮止めした状態でレンズ保持枠を回転させてレンズの基準光軸方向における位置を調整し、その後、中間筒を回転させてレンズの基準光軸回りの角度位置を調整し、最後に中間筒を鏡筒に対して固定するようにしたものが知られている（例えば、特許文献１を参照）。
しかしながら、このレンズ鏡筒においては、レンズの基準光軸方向における位置の調整（焦点調整）とレンズの基準光軸回りの角度位置の調整（焦点面不対称の調整）とは別々の工程で行われるものであり、調整作業が面倒であり、又、基準光軸方向における位置調整と基準光軸回りの角度位置の調整は行えても、レンズの基準光軸に対する傾き調整（アオリ調整）を行うことはできない。
【０００３】
また、他のレンズ鏡筒としては、基準光軸（基準軸）を画定する鏡筒（調整枠及び基準枠）、レンズを保持すると共に鏡筒内に配置して固定されるレンズ保持枠（レンズ枠）を備え、レンズ保持枠の外周面の３箇所（１２０度間隔）において、凸状に湾曲すると共に階段状に形成された５つの調整面を設け、鏡筒の内周面の３箇所（１２０度間隔）において、レンズ保持枠に設けられた５つの調整面のいずれかの調整面を当接させてレンズ保持枠を支持する３つの受け面を設け、鏡筒の受け面にレンズ保持枠の５つの調整面のいずれかを当接させることでレンズの基準光軸方向における位置調整（トラッキング調整）を行うと共に、その調整面を鏡筒の受け面に当接させた状態でレンズ保持枠（レンズの光軸）を基準光軸に対して傾けることでレンズの基準光軸に対する傾き調整（アオリ調整）を行うようにしたものが知られている（例えば、特許文献２を参照）。
しかしながら、このレンズ鏡筒においては、基準光軸方向における位置調整（トラッキング調整）と傾き調整（アオリ調整）の両方を行えるものの、基準光軸方向における位置調整は、階段状に形成された５つの調整面のいずれかを選択する、すなわち、限られた数の段差分だけしか調整することがでず、連続的に調整できるものではなく、それ故に、最適な位置に位置調整（トラッキング調整）を行うことができなかった。
【先行技術文献】
【特許文献】
【０００４】
【特許文献１】特開２００３−５００６号公報
【特許文献２】特開２０１０−６６７２０号公報
【発明の概要】
【発明が解決しようとする課題】
【０００５】
本発明は、上記の事情に鑑みて成されたものであり、その目的とするところは、構造の簡素化、部品点数の削減、小型化等を図りつつ、基準光軸方向における位置調整（トラッキング調整、焦点調整）と基準光軸に対する傾き調整（アオリ調整）とを特別な段取りを必要とせずに円滑に行うことができ、又、基準光軸方向における位置調整を連続的に行うことができるレンズ鏡筒を提供することにある。
【課題を解決するための手段】
【０００６】
本発明のレンズ鏡筒は、基準光軸を画定する鏡筒と、レンズを保持して鏡筒に連結固定されるレンズ保持枠とを備えたレンズ鏡筒であって、上記鏡筒は、その内周面に形成された雌ネジを有し、上記レンズ保持枠は、鏡筒の雌ネジに螺合するべくその外周面に形成された雄ネジを有し、雄ネジと雌ネジとは、各々のネジ山とネジ溝との間に所定隙間を有して螺合するように形成されている、ことを特徴としている。
この構成によれば、レンズを保持したレンズ保持枠を鏡筒に近づけて、レンズ保持枠の雄ネジを鏡筒の雌ネジに螺合すると共にその螺合量を適宜調整することにより、基準光軸の方向におけるレンズの位置調整（トラッキング調整）を連続的に行うことができ、又、その調整位置において、雄ネジと雌ネジとの間の所定隙間によるガタツキ（傾き調整代）を利用して、レンズ保持枠を基準光軸に対して適宜傾けることにより、基準光軸に対するレンズ（の光軸）の傾き調整（アオリ調整）を行うことができる。
このように、レンズ保持枠の雄ネジと鏡筒の雌ネジとの関係において、標準の雄ネジと雌ネジの螺合関係とは異なるガタツキを生じ得る所定隙間を形成するだけであるため、構造の簡素化、部品点数の削減、小型化等を達成することができる。
【０００７】
上記構成において、レンズ保持枠は、鏡筒に連結する際に用いる冶具を着脱自在に装着するための冶具装着部を有する、構成を採用することができる。
この構成によれば、冶具を冶具装着部に取り付けた状態で、レンズ保持枠を鏡筒に近づけて、雄ネジを雌ネジに螺合させつつ基準光軸方向における位置調整（トラッキング調整）を行い、その後適宜冶具を傾けることで、基準光軸に対するレンズ保持枠（レンズ）の傾き調整（アオリ調整）を行うことができるため、両方の調整作業を容易にかつ円滑に行うことができる。
【０００８】
上記構成において、レンズ保持枠及び鏡筒は、レンズ保持枠が鏡筒に連結された状態において、接着剤を注入し得る接着剤溜め部を画定するように形成されている、構成を採用することができる。
この構成によれば、基準光軸方向における位置調整（トラッキング調整）及び基準光軸に対する傾き調整（アオリ調整）の後に、所望の接着剤を接着剤溜め部に注入することにより、調整状態を維持したままレンズ保持枠を鏡筒に対して堅固に固定することができる。
【０００９】
上記構成において、雄ネジは、レンズ保持枠の周方向において離隔して形成された複数の雄ネジからなり、レンズ保持枠は、周方向において複数の雄ネジ同士の間に形成され接着剤溜め部の一部をなす凹部を有する、構成を採用することができる。
この構成によれば、レンズ保持枠の外周において、周方向に間隔をおいて複数の雄ネジと雄ネジ同士の間に接着剤を注入するための凹部が形成されているため、鏡筒に対して、レンズ保持枠を調整した状態において周方向において均等に連結固定することができる。
また、雄ネジを周方向に離隔して複数設けたことにより、全周に亘って設ける場合に比べて、雌ネジと螺合した状態における傾き調整をより効果的に行うことができる。
【発明の効果】
【００１０】
上記構成をなすレンズ鏡筒によれば、構造の簡素化、部品点数の削減、小型化等を達成しつつ、基準光軸方向における位置調整（トラッキング調整、焦点調整）と基準光軸に対する傾き調整（アオリ調整）とを特別な段取りを必要とせずに円滑に行うことができ、又、基準光軸方向における位置調整を連続的に行うことができる。
【図面の簡単な説明】
【００１１】
【図１】本発明に係るレンズ鏡筒の一実施形態を示す分解斜視である。
【図２】本発明に係るレンズ鏡筒の一実施形態を示す断面図である。
【図３】本発明に係るレンズ鏡筒のレンズ保持枠に設けられる雄ネジと鏡筒に設けられる雌ネジとの螺合関係を示すものであり、（ａ）はレンズ保持枠を鏡筒（の基準光軸）に対して図中反時計回りに傾けた状態を示す部分断面図であり、（ｂ）はレンズ保持枠を鏡筒（の基準光軸）に対して図中時計回りに傾けた状態を示す部分断面図である。
【図４】本発明に係るレンズ鏡筒を組み付ける際に、冶具をレンズ保持枠に装着した状態を示す分解斜視図である。
【図５】本発明に係るレンズ鏡筒を、冶具を用いて組み付けた状態を示す断面図である。
【図６】本発明に係るレンズ鏡筒を組み付ける際の傾き調整を説明する部分拡大断面図である。
【図７】本発明に係るレンズ鏡筒を組み付ける際の傾き調整を説明する部分拡大断面図である。
【発明を実施するための形態】
【００１２】
以下、本発明の実施形態について、添付図面を参照しつつ説明する。
この実施形態に係るレンズ鏡筒は、図１及び図２に示すように、基準光軸Ｌを画定する鏡筒１０、鏡筒１０に連結して固定されるレンズ保持枠２０を備えている。
鏡筒１０は、複数の鏡筒を含むズームレンズ鏡胴の先端に設けられて、他の鏡筒に含まれるレンズの光軸と同軸上に位置する基準光軸Ｌを画定するものであり、図１及び２に示すように、外側円筒部１１、外側円筒部１１と同軸をなす内側円筒部１２、内側円筒部１２に形成された円形の開口部１３及び環状鍔部１４、内側円筒部１２の内周面に形成された雌ネジ１５等を備えている。
【００１３】
外側円筒部１１は、ズームレンズ鏡胴を構成する際に、他の鏡筒（不図示）と連結されて基準光軸Ｌ方向に移動自在に支持されるように形成されている。
内側円筒部１２は、図２に示すように、レンズ保持枠２０を収容して連結固定する領域として形成されている。
開口部１３は、図２に示すように、レンズ保持枠２０の後端領域を被接触にて受け入れる寸法に形成されている。
環状鍔部１４は、図２に示すように、レンズ保持枠２０を螺合して嵌め込んだ際に、レンズ保持枠２０の弧状突出部２２の後端面２２ｂを当接させて、基準光軸Ｌ方向におけるレンズ保持枠２０の移動端を規定するように形成されている。
雌ネジ１５は、図２に示すように、内側円筒部１２の内周面に形成されており、レンズ保持枠２０の雄ネジ２３と所定隙間を有して螺合するように形成されている。
【００１４】
レンズ保持枠２０は、図１及び図２に示すように、円環状に形成されており、レンズＧ１，Ｇ２，Ｇ３をそれぞれ嵌合して保持するべく異なる内径をなす多段状に形成された嵌合保持部２１、その外周面において周方向に等間隔（１２０度間隔）で形成された３つの弧状突出部２２、弧状突出部２２（の外周面）に形成された３つの雄ネジ２３、３つの弧状突出部２２（３つの雄ネジ２３）同士の間に形成されて接着剤溜め部の一部をなす凹部としての凹状歯列部２４、３つの弧状突出部２２（３つの雄ネジ２３）と３つの凹状歯列部２４の間に凹状溝として形成された３つの冶具装着部２５等を備えている。
【００１５】
嵌合保持部２１は、図２に示すように、レンズＧ１を嵌め込んで保持する第１嵌合保持部２１ａ、レンズＧ１に接合されたレンズＧ２を受け入れる筒部２１ｂ、レンズＧ３を嵌め込んで保持する第２嵌合保持部２１ｃを含むように形成されている。
３つの弧状突出部２２は、図１に示すように、レンズ保持枠２０の周方向において３等分された領域にそれぞれ所定の中心角（約６０度程度）をなす周方向長さでかつ略矩形断面をなすように形成されている。
【００１６】
３つの雄ネジ２３は、図１に示すように、それぞれの弧状突出部２２の外周面に形成されており、鏡筒１０の雌ネジ１５と所定隙間を有して螺合するように形成されている。
ここで、雄ネジ２３と雌ネジ１５との螺合関係は、図３（ａ），（ｂ）に示すように、レンズ保持枠２０を鏡筒１０に対して図３（ａ）中の反時計回りに傾けた際に、雄ネジ２３のネジ山２３ａと雌ネジ１５のネジ溝１５ａとの間に所定隙間を有し、又、レンズ保持枠２０を鏡筒１０に対して図３（ｂ）中の時計回りに傾けた際に、雄ネジ２３のネジ山２３ａと雌ネジ１５のネジ溝１５ａとの間に所定隙間を有して螺合する関係が得られる、すなわち、雄ネジ２３と雌ネジ１５とが螺合した状態で両者間にガタツキを生じるように形成されている。
ここでは、雄ネジ２３を周方向に離隔して３箇所に設けたことにより、全周に亘って設ける場合に比べて、雌ネジ１５と螺合した状態におけるレンズ保持枠２０の傾き調整をより効果的に行うことができる。
【００１７】
３つの凹状歯列部２４は、図１に示すように、レンズ保持枠２０の周方向において３等分された領域にそれぞれ所定の中心角（約５０度程度）をなす周方向長さでかつ径方向において雄ネジ２３よりも突出しない高さ（雄ネジ２３が雌ネジ１５に螺合するのを許容する高さ）に形成されている。
そして、凹状歯列部２４は、レンズ保持枠２０が鏡筒１０に螺合されて連結された状態で、鏡筒１０の雌ネジ１５との間において、接着剤を注入し得る接着剤溜め部を画定するように形成されている。
【００１８】
このように、接着剤溜め部の一部をなす凹状歯列部２４を設けたことにより、基準光軸Ｌ方向における位置調整（トラッキング調整）及び基準光軸Ｌに対す傾き調整（アオリ調整）の後に、所望の接着剤を凹状歯列部２４に注入することにより、調整状態を維持したままレンズ保持枠２０を鏡筒１０に対して堅固に固定することができる。
また、接着剤溜め部の一部をなす凹部としての凹状歯列部２４が周方向に間隔をおいて３箇所に設けられている、すなわち、レンズ保持枠２０の外周において周方向に間隔をおいて複数の雄ネジ２３同士の間に接着剤を注入するための凹部が形成されているため、鏡筒１０に対して、レンズ保持枠２０を調整した状態において周方向において均等に連結固定することができる。
【００１９】
３つの冶具装着部２５は、図１及び図４に示すように、レンズ保持枠２０の周方向において３等分された領域に、それぞれ所定の中心角（約５〜１０度程度）をなす幅でかつ基準光軸Ｌ方向に肉抜きされた凹状溝として形成され、レンズ保持枠２０を鏡筒１０に連結すると共に位置調整を行う際に、冶具Ｔの係合爪Ｔ３を着脱自在に嵌め込むことができるようになっている。
【００２０】
冶具Ｔは、図４及び図５に示すように、円環状の把持部Ｔ１、把持部Ｔ１から基準光軸Ｌ方向に伸長する３つの係合腕Ｔ２、係合腕Ｔ２の先端に形成された係合爪Ｔ３を備えている。
係合爪Ｔ３は、図４及び図５に示すように、レンズ保持枠２０の弧状突出部２２の前端面２２ａに当接すると共に冶具装着部２５に対して、係合腕Ｔ２を径方向外向きに若干押し広げるようにして嵌合されるように形成されている。
【００２１】
このように、冶具Ｔを装着し得る冶具装着部２５をレンズ保持枠２０に設けたことにより、冶具Ｔを冶具装着部２５に取り付けた状態で、レンズ保持枠２０を鏡筒１０に近づけて、雄ネジ２３を雌ネジ１５に螺合させつつ基準光軸Ｌ方向における位置調整（トラッキング調整）を行い、その後適宜冶具Ｔを傾けることで、基準光軸Ｌに対するレンズ保持枠２０（レンズＧ１，Ｇ２，Ｇ３）の傾き調整（アオリ調整）を行うことができるため、両方の調整作業を容易にかつ円滑に行うことができる。
【００２２】
上記構成をなすレンズ鏡筒によれば、レンズＧ１，Ｇ２，Ｇ３を保持したレンズ保持枠２０を鏡筒１０に近づけて、レンズ保持枠２０の雌ネジ２３を鏡筒１０の雌ネジ１５に螺合すると共にその螺合量を適宜調整することにより、基準光軸Ｌの方向におけるレンズＧ１，Ｇ２，Ｇ３の位置を調整することができ、又、その調整位置において、雄ネジ２３と雌ネジ１５との間の所定隙間によるガタツキ（傾き調整代）を利用して、レンズ保持枠２０を基準光軸Ｌに対して適宜傾けることにより、基準光軸Ｌに対するレンズＧ１，Ｇ２，Ｇ３（の光軸）の傾き調整を行うことができる。
このように、レンズ保持枠２０の雄ネジ２３と鏡筒１０の雌ネジ１５との関係において、標準の雄ネジと雌ネジの螺合関係とは異なるガタツキを生じ得る所定隙間を形成するだけであるため、構造の簡素化、部品点数の削減、小型化等を達成することができる。
【００２３】
次に、上記レンズ鏡筒の組み付け作業及び調整作業（基準光軸Ｌ方向における位置調整、基準光軸Ｌに対する傾き調整）について説明する。
先ず、鏡筒１０、レンズＧ１，Ｇ２，Ｇ３を保持したレンズ保持枠２０、冶具Ｔ、接着剤が準備される。
【００２４】
続いて、図４に示すように、冶具Ｔの係合爪Ｔ３をレンズ保持枠２０の冶具装着部２５に嵌め込んで、冶具Ｔによりレンズ保持枠２０を保持する。
続いて、その状態で、レンズ保持枠２０を鏡筒１０に前方側から近づけ、雄ネジ２３を雌ネジ１５に螺合させるように、冶具Ｔの把持部Ｔ１を把持して回転させる。
【００２５】
ここで、レンズＧ１，Ｇ２，Ｇ３を通して撮影される画像をモニター等により確認しながら、ピントが合う状態までレンズ保持枠２０を捩じ込むことにより、レンズＧ１，Ｇ２，Ｇ３の基準光軸Ｌ方向における位置調整（トラッキング調整）が行われ、続いて、モニターを確認しつつ、冶具Ｔを適宜傾けて、例えば、図６に示すように反時計回りに傾けてあるいは図７に示すように時計回りに傾けて（雄ネジ２３と雌ネジ１５との間の所定隙間によるガタツキの範囲内で傾き量を変化させて）片ボケ等の四隅のバランスがとれる（片ボケが無くなる）状態になるように傾き調整（アオリ調整）を行う。
【００２６】
その後、凹状歯列部２４に接着剤を注入して固着後、冶具Ｔを略基準光軸Ｌ方向に引き抜くことにより、基準光軸Ｌ方向におけるレンズＧ１，Ｇ２，Ｇ３の位置調整（トラッキング調整）及び基準光軸Ｌに対するレンズＧ１，Ｇ２，Ｇ３の傾き調整（アオリ調整）が済んだ状態で、レンズ保持枠２０を鏡筒１０に堅固に固定することができる。
尚、接着剤としては、紫外線硬化型又は熱硬化型の接着剤等を用いることができる。
【００２７】
以上述べたように、上記構成をなすレンズ鏡筒によれば、構造の簡素化、部品点数の削減、小型化等を達成しつつ、基準光軸Ｌ方向における位置調整（トラッキング調整、焦点調整）と基準光軸Ｌに対する傾き調整（アオリ調整）とを特別な段取りを必要とせずに円滑に行うことができ、又、基準光軸Ｌ方向における位置調整を連続的に行うことができる。
【００２８】
上記実施形態においては、鏡筒として、外側円筒部１１及び雌ネジ１５を設ける内側円筒部１２を有する二重円筒状のものを示したが、これに限定されるものではなく単筒状の鏡筒であってもよく、その他複数のレンズを保持する鏡筒であってもよい。
上記実施形態においては、レンズ保持枠２０の外周面の周方向に等分された３箇所の領域に３つの雄ネジ２３を設けた場合を示したが、これに限定されるものではなく、それ以上に分割された雄ネジを設けてもよい。
上記実施形態においては、調整後においてレンズ保持枠２０を鏡筒１０に固定する手法として、接着剤を用いる場合を示したが、これに限定されるものではなく、ネジ等の締結手段あるいはその他の固定手段を用いて固定してもよい。
【産業上の利用可能性】
【００２９】
以上述べたように、本発明に係るレンズ鏡筒は、構造の簡素化、部品点数の削減、小型化等を達成しつつ、基準光軸Ｌ方向における位置調整（トラッキング調整、焦点調整）と基準光軸Ｌに対する傾き調整（アオリ調整）とを特別な段取りを必要とせずに円滑に行うことができ、又、基準光軸Ｌ方向における位置調整を連続的に行うことができるため、ズームレンズ鏡胴を備えたカメラ等に適用できるのは勿論のこと、カメラ以外の光学機器等においても有用である。
【符号の説明】
【００３０】
Ｌ  基準光軸
１０  鏡筒
１１  外側円筒部
１２  内側円筒部
１３  開口部
１４  環状鍔部
１５  雌ネジ
１５ａ  ネジ溝
２０  レンズ保持枠
Ｇ１，Ｇ２，Ｇ３  レンズ
２１  嵌合保持部
２１ａ  第１嵌合保持部
２１ｂ  筒部
２１ｃ  第２嵌合保持部
２２  弧状突出部
２２ａ  前端面
２２ｂ  後端面
２３  雄ネジ
２３ａ  ネジ山
２４  凹状歯列部（凹部、接着剤溜め部の一部）
２５  冶具装着部
Ｔ  冶具
Ｔ１  把持部
Ｔ２  係合腕
Ｔ３  係合爪
【図１】
2014071179.tif 000003
【図２】
2014071179.tif 000004
【図３】
2014071179.tif 000005
【図４】
2014071179.tif 000006
【図５】
2014071179.tif 000007
【図６】
2014071179.tif 000008
【図７】
2014071179.tif 000009